(57)【要約】【課題】箱詰めされた状態で揺動しにくく商品を傷付けるおそれの小さい吊掛構造体を提供する。【解決手段】商品を陳列するための吊掛構造体１である。そして、陳列される商品に対して相対的に位置を固定される位置固定部としてのウイング部２と、吊掛用の穴３１を有する吊掛部３であって、ウイング部２に対して商品の正面に略平行な軸線を回転軸として回転するように形成された吊掛部３と、を備えている。このような構成によれば、折り畳まれて省スペースで搬送できるうえ、箱詰めされた状態で揺動しにくく商品を傷付けるおそれも小さくなる。【選択図】図１
0003208774.tif 000002
【実用新案登録請求の範囲】
【請求項１】
商品を陳列するための吊掛構造体であって、
陳列される商品に対して相対的に位置を固定される位置固定部と、
吊掛用の穴又は切込を有する吊掛部であって、前記位置固定部に対して前記商品の正面に略平行な軸線を回転軸として回転するように形成された吊掛部と、を備える吊掛構造体。
【請求項２】
前記吊掛部は、前記回転軸を中心として回転した状態で、前記位置固定部の表面をなすいずれかの表面と重なり、該表面からはみ出す部分がないように形成される、請求項１に記載された吊掛構造体。
【請求項３】
前記商品は、工具を収納する工具バッグであり、
前記位置固定部は、前記工具バッグのベルト通し部に挿通されるウイング部である、請求項１又は請求項２に記載された吊掛構造体。
【請求項４】
前記商品は、工具を収納する工具バッグであり、
前記位置固定部は、前記商品を収納する収納箱である、請求項１又は請求項２に記載された吊掛構造体。
【考案の詳細な説明】
【技術分野】
【０００１】
本考案は、工具バッグを含む商品を陳列するために使用される吊掛構造体に関するものである。
【背景技術】
【０００２】
従来から、工具類や工具バッグなどを含む商品を陳列するための吊掛構造体が一般的に知られている。例えば、特許文献１に記載された吊り下げ用フックは、上方の係止用のフック部と、下方の扁平部と、扁平部の一側面からこの側面方向に向かって突出し内部に筒孔をもつ変形可能な薄肉筒部とを備え、全体が合成樹脂素材によって一体形成されている。このような構造によれば、トップカードを包装袋に取り付けた後であっても取り付ける前であっても、吊り下げ用フックをトップカードに対して確実に取り付けることができるうえ、機械による取り付けが容易になる。さらに、商品の箱詰め等の際には、フック部がトップカードから突出しないように回動させて邪魔にならないようにできる。
【先行技術文献】
【特許文献】
【０００３】
【特許文献１】特開平８−２９４４３３号公報
【考案の概要】
【考案が解決しようとする課題】
【０００４】
しかしながら、上述した特許文献１の吊り下げ用フックは、商品の正面に垂直な軸線を回転軸として回転するように構成されている。したがって、箱詰めされた状態においてフックが揺動して商品を傷付けるおそれがある、という問題があった。
【０００５】
そこで、本考案は、箱詰めされた状態で揺動しにくく、商品を傷付けるおそれの小さい、吊掛構造体を提供することを目的としている。
【課題を解決するための手段】
【０００６】
前記目的を達成するために、本考案の吊掛構造体は、商品を陳列するための吊掛構造体であって、陳列される商品に対して相対的に位置を固定される位置固定部と、吊掛用の穴又は切込を有する吊掛部であって、前記位置固定部に対して前記商品の正面に略平行な軸線を回転軸として回転するように形成された吊掛部と、を備えている。
【０００７】
また、前記吊掛部は、前記回転軸を中心として回転した状態で、前記位置固定部の表面をなすいずれかの表面と重なり、該表面からはみ出す部分がないように形成されることが好ましい。
【０００８】
さらに、前記商品は、工具を収納する工具バッグであり、前記位置固定部は、前記工具バッグのベルト通し部に挿通されるウイング部であることが好ましい。
【０００９】
また、前記商品は、工具を収納する工具バッグであり、前記位置固定部は、前記商品を収納する収納ケースであることが好ましい。
【考案の効果】
【００１０】
このように、本考案の吊掛構造体は、商品を陳列するための吊掛構造体であって、陳列される商品に対して相対的に位置を固定される位置固定部と、吊掛用の穴又は切込を有する吊掛部であって、位置固定部に対して商品の正面に略平行な軸線を回転軸として回転するように形成された吊掛部と、を備えている。このような構成によれば、折り畳まれて省スペースで搬送できるうえ、箱詰めされた状態で揺動しにくく商品を傷付けるおそれも小さくなる。
【００１１】
また、吊掛部は、回転軸を中心として回転した状態で、位置固定部の表面をなすいずれかの表面と重なり、該表面からはみ出す部分がないように形成されることで、箱詰めされた状態において余分なスペースが必要なくなる。
【００１２】
さらに、商品が工具を収納する工具バッグである場合に、位置固定部は工具バッグのベルト通し部に挿通されるウイング部であることで、吊掛部を回動させてウイング部に重ね合わすことができる。
【００１３】
また、商品が工具を収納する工具バッグである場合に、位置固定部は商品を収納する収納箱であることで、吊掛部を回動させて収納箱の背面部に重ね合わすことができる。
【図面の簡単な説明】
【００１４】
【図１】実施例１の吊掛構造体の正面図である。
【図２】実施例１の吊掛構造体を工具バッグに取り付けた陳列時の斜視図である。
【図３】実施例１の吊掛構造体を工具バッグに取り付けた運搬時の斜視図である。
【図４】実施例２の吊掛構造体を工具バッグに取り付けた陳列時の斜視図である。
【図５】実施例２の吊掛構造体を工具バッグに取り付けた運搬時の斜視図である。
【考案を実施するための形態】
【００１５】
以下、本考案の実施の形態について図面を参照して説明する。以下では、実施例１において位置固定部としてウイング部２を備える吊掛構造体１について説明し、実施例２において位置固定部として収納箱６を備える吊掛構造体１Ａについて説明する。
【実施例１】
【００１６】
（構成）
本実施例では、位置固定部としてウイング部２を備える吊掛構造体１の構成を説明する。本考案の吊掛構造体１は、商品として工具バッグ５（図２参照）を陳列するための吊掛構造体１である。この吊掛構造体１は、図１に示すように、陳列される商品に対して相対的に位置を固定される位置固定部としてのウイング部２と、吊掛用の穴３１を有する吊掛部３であって、ウイング部２に対して商品の正面に対して略平行な軸線を回転軸として回転するように形成された吊掛部３と、を備えている。
【００１７】
ウイング部２は、紙や合成樹脂などの材料を用いて、全体として横長の凹型の板状に形成されるものである。ウイング部２は、工具バッグ５のベルト通し部５２、５２に装着しやすいように、左右いずれか一方が長く他方が短くされて、左右非対称に形成されている。そのため、ウイング部２の横幅は、吊掛部３の横幅よりも短くなっている。ウイング部２は、長方形の本体部２０と、本体部２０の凹みの底近傍に並設された３つの連結孔２１、２１、２１を有している。なお、ウイング部２の材料は、紙や合成樹脂に限定されるものではなく、一定の剛性があればどのような材料であっても使用できる。
【００１８】
吊掛部３は、紙や合成樹脂などの材料を用いて、全体として横長のＴ字型（凸型）の板状に形成されるものである。吊掛部３の横幅は、ウイング部２の横幅よりもやや長く、商品である工具バッグ５の横幅と略同一である。吊掛部３は、Ｔ字型の本体部３０と、本体部３０の中央においてＴ字の突出部と反対寄りに設けられる穴３１と、本体部３０のＴ字の突出部の先端近傍に並設された３つの連結孔３２と、を有している。突出部の横幅は、吊掛構造体１が横にずれないように、工具バッグ５のベルト通し部５２、５２の左右の間隔と略同一とされている。なお、吊掛部３の材料は、紙や合成樹脂に限定されるものではなく、一定の剛性があればどのような材料であっても使用できる。また、吊掛用の穴３１は、吊り掛けられる形状であれば、どのような形状であってもよく、例えば切込であってもよい。
【００１９】
そして、ウイング部２と吊掛部３とは、ウイング部２の凹みに吊掛部３のＴ字の突出部を隣接させて、連結リング４１によって回動自在に連結されている。より詳細にいうと、ウイング部２の凹みの底近傍に配置された連結孔２１と、吊掛部３のＴ字の突出部の先端近傍に配置された連結孔３２と、に連結リング４１が連通されることで、ウイング部２と吊掛部３とが回動自在に連結される。したがって、吊掛部３の回転軸ａは、陳列状態では略水平な軸線となり、工具バッグ５の正面に対して略平行になる。なお、連結リング４１の個数は、３つに限定されるものではなく、１つ又は２つであってもよいし４つ以上あってもよい。また、ウイング部２と吊掛部３との連結は、連結リング４１に限定されるものではなく、回動自在に連結できるものであれば、例えばテープなどを用いることもできる。
【００２０】
（作用）
次に、図２及び図３を用いて、本実施例の吊掛構造体１の作用について説明する。図２に示すように陳列時には、ウイング部２が工具バッグ５のベルト通し部５２、５２に左右に挿通されており、それによってウイング部２の工具バッグ５に対する相対位置が固定されている。そして、陳列時には、吊掛部３の穴３１がＴ字の突出部よりも上方に位置する状態、すなわちウイング部２よりも上方に吊掛部３が位置する状態となっている。そして、吊掛部３の吊掛用の穴３１は、商品である工具バッグ５よりも上方に位置している。したがって、吊掛部３の穴３１に、店舗に準備されたフックやバーなどが挿通されることで、工具バッグ５を吊り掛けて陳列することができるようになっている。この際、工具バッグ５の正面側の収納部５１の背面側にあるベルト通し部５２、５２にウイング部２が挿通されるため、商品である工具バッグ５は、正面を向いて陳列されることになる。
【００２１】
一方、図３に示すように運搬時にも、ウイング部２が工具バッグ５のベルト通し部５２、５２に左右に挿通されており、それによってウイング部２の工具バッグ５に対する相対位置が固定されている。すなわち、出荷時には、ウイング部２が、商品である工具バッグ５に取り付けられた状態で出荷されて運搬される。そして、運搬時には、吊掛部３の穴３１がＴ字の突出部よりも下方に位置する状態、すなわちウイング部２よりも下方に吊掛部３が位置する状態で、工具バッグ５の背面と重なり合っている。したがって、運搬時に工具バッグ５を段ボール箱に梱包した状態でも、工具バッグ５のみが占有する空間と略同一体積の空間を占有するだけであり、吊掛構造体１が嵩張ることがない。さらに、吊掛部３は、商品に対して平行な軸線を回転軸として回動することで、隣接する商品に対して吊掛部３の面で接触するようになるため、隣接する商品を傷付けるおそれが小さい。
【００２２】
（効果）
次に、本実施例の吊掛構造体１が奏する効果を列挙して説明する。
【００２３】
（１）本考案の吊掛構造体１は、商品を陳列するための吊掛構造体１であって、陳列される商品に対して相対的に位置を固定される位置固定部としてのウイング部２と、吊掛用の穴３１を有する吊掛部３であって、ウイング部２に対して商品の正面に略平行な軸線を回転軸として回転するように形成された吊掛部３と、を備えている。このような構成によれば、折り畳まれて省スペースで搬送できるうえ、箱詰めされた状態で揺動しにくく商品を傷付けるおそれも小さくなる。
【００２４】
（２）また、吊掛部３は、回転軸を中心として回転した状態で、位置固定部としてのウイング部２の表面をなす背面と重なり、該背面からはみ出す部分がないように形成されることで、箱詰めされた状態において余分なスペースが必要なくなる。
【００２５】
（３）さらに、商品が工具を収納する工具バッグ５である場合に、位置固定部は工具バッグ５のベルト通し部５２に挿通されるウイング部２であることで、吊掛部３を回動させてウイング部２に重ね合わすことができる。
【実施例２】
【００２６】
以下、図４及び図５を用いて、実施例１とは別の形態の吊掛構造体１Ａについて説明する。なお、前記実施の形態で説明した内容と同一乃至均等な部分の説明については同一符号を付して説明する。
【００２７】
まず構成について説明する。本実施例の吊掛構造体１Ａは、位置固定部（６）と、吊掛部３と、を備えている点では、実施例１と同じであるが、位置固定部として収納箱６を備えている点で実施例１と異なる。すなわち、本実施例の位置固定部は、ウイング部２ではなく、収納箱６である。
【００２８】
位置固定部としての収納箱６は、紙や合成樹脂などによって直方体に形成されるものであり、商品である工具バッグ５全体をその内部に収納している。すなわち、本実施例の吊掛構造体１Ａでは、商品である工具バッグ５を位置固定部である収納箱６が収納することで、商品に対して相対的に位置が固定される。なお、収納箱６の前面は、透明な樹脂などによって形成して内容物である商品を見せるようにすることも好ましい。
【００２９】
吊掛部３は、紙や合成樹脂などの材料を用いて、長方形の板状に形成されるものである。吊掛部３の幅は、収納箱６の幅と略同一であり、商品である工具バッグ５の幅と比べると、やや広くなっている。吊掛部３は、長方形の本体部３０と、本体部３０の中央において一方の端縁（図４では上方寄り）に設けられる穴３１と、を有している。なお、吊掛部３の材料は、紙や合成樹脂に限定されるものではなく、一定の剛性があればどのような材料であっても使用できる。また、吊掛用の穴３１は、吊り掛けられる形状であれば、どのような形状であってもよく、例えば切込であってもよい。
【００３０】
そして、位置固定部としての収納箱６の背面と吊掛部３の背面とが、粘着テープによって回動自在に連結されている。より詳細にいうと、収納箱６の背面の上部と、吊掛部３の背面の穴３１が設けられていない他方の端縁（図４では下方寄り）と、に跨るようにテープ４２が貼設されることで、収納箱６と吊掛部３とが回動自在に連結される。したがって、吊掛部３の回転軸ａは、陳列状態では略水平な軸線となり、工具バッグ５の正面に対して略平行になる。なお、収納箱６と吊掛部３との連結は、テープ４２に限定されるものではなく、回動自在に連結できるものであればよく、例えば連結リングを含むヒンジ構造などを用いることもできる。
【００３１】
次に本実施例の吊掛構造体１Ａの奏する作用・効果について説明する。
【００３２】
（１）本考案の吊掛構造体１Ａは、商品を陳列するための吊掛構造体１Ａであって、陳列される商品に対して相対的に位置を固定される位置固定部としての収納箱６と、吊掛用の穴３１を有する吊掛部３であって、収納箱６に対して商品の正面に略平行な軸線を回転軸として回転するように形成された吊掛部３と、を備えている。このような構成によれば、折り畳まれて省スペースで搬送できるうえ、箱詰めされた状態で揺動しにくく商品を傷付けるおそれも小さくなる。
【００３３】
（２）また、商品が工具を収納する工具バッグ５である場合に、位置固定部は工具バッグ５を収納する収納箱６であることで、吊掛部３を回動させて収納箱６の背面部に重ね合わすことができる。
【００３４】
なお、この他の構成および作用効果については、前記実施の形態と略同様であるため説明を省略する。
【００３５】
以上、図面を参照して、本考案の実施例を詳述してきたが、具体的な構成は、この実施例に限らず、本考案の要旨を逸脱しない程度の設計的変更は、本考案に含まれる。
【００３６】
例えば、実施例１、２では、位置固定部としてウイング部２や収納箱６を備える例について説明したが、これに限定されるものではない。位置固定部は、商品に相対的に位置を固定できるものであればよく、他の態様を用いることもできる。
【００３７】
また、実施例１、２では、位置固定部と吊掛部の固定手段として、連結リング４１やテープ４２を使用する例について説明したが、これに限定されるものではない。固定手段は、回動自在に固定できるものであればよく、他の固定手法を用いることもできる。
【００３８】
また、実施例１では、ウイング部２と吊掛部３とを連結リング４１によって回動自在に固定する場合について説明したが、これに限定されるものではなく、テープによって回動自在に固定することもできる。同様に、実施例２でも、収納箱６と吊掛部３を連結リングによって回動自在に固定することもできる。
【符号の説明】
【００３９】
１、１Ａ    吊掛構造体
２          ウイング部（位置固定部）
２０        本体部
２１、２２  連結孔
３          吊掛部
３０        本体部
３１        穴
３２        連結孔
４１        連結リング
４２        テープ
５          工具バッグ
５１        収納部
５２        ベルト通し部
６          収納箱（位置固定部）
【図１】
0003208774.tif 000003
【図２】
0003208774.tif 000004
【図３】
0003208774.tif 000005
【図４】
0003208774.tif 000006
【図５】
0003208774.tif 000007